【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
トレイＴに載置した複数の育苗ポットＰを始端部から終端部へ向けて移送する移送台１の所定位置の側方位置に、複数のバケット７により土を揚送するバケットコンベア６により構成した土供給装置５を配置させ、前記バケットコンベア６が揚送させた土を、移送台１上を移送中の育苗ポットＰに上に落下させ、移送中の育苗ポットＰにバケットコンベア６から落下する土を受け止めさせ、育苗ポットＰ上に、各育苗ポットＰに充填する必要量以上の所定量の土を層状に一旦貯留させ、育苗ポットＰ上の余分な土を除去する際に、育苗ポットＰが受け止めた土のうち必要量の土を各育苗ポットＰ内に充填させて行う育苗ポット用土供給方法。
【請求項２】
請求項１において、前記バケットコンベア６が揚送した土を落下させる位置より移送方向の下手側の移送台１に除去装置１４を設け、除去装置１４により育苗ポットＰ上の余分な土を堰き止めて育苗ポットＰ内に土を充填させながら、土を除去する育苗ポット用土供給方法。
【請求項３】
請求項１または請求項２において、前記バケットコンベア６が揚送した土を落下させる位置の移送台１に設けた前板１１と側板１２を有する溢れ防止体１０により、育苗ポットＰ上に落下した土が育苗ポットＰ上から溢れるのを防止して、育苗ポットＰ上に所定量の土を層状に貯留させ、育苗ポットＰ上の余分な土を除去する際に、育苗ポットＰが受け止めた土のうち必要量の土を各育苗ポットＰ内に充填させて行う育苗ポット用土供給方法。
【請求項４】
トレイＴに載置した複数の育苗ポットＰを始端部から終端部へ向けて移送する移送台１の所定側方位置に、複数のバケット７を有するバケットコンベア６を設け、該バケットコンベア６は前記移送台１上の移送中の育苗ポットＰに揚送した土が落下するように配置し、前記バケットコンベア６が揚送した土を落下させる位置より移送方向の下手側の移送台１に除去装置１４を設け、前記バケットコンベア６は、育苗ポットＰ上に各育苗ポットＰに充填する必要量以上の土が層状になるように落下させる設定とし、前記除去装置１４は、前記バケットコンベア６が育苗ポットＰ上に落下させた各育苗ポットＰに充填する必要量以上の層状の土のうちの余分な土の除去および各育苗ポットＰ内への土の充填させるように構成した育苗ポット用土供給装置。
【請求項５】
請求項４において、前記バケットコンベア６が揚送した土を落下させる位置の移送台１上に、上方に起立する前板１１と側板１２を有する溢れ防止体１０を設けた育苗ポット用土供給装置。
【請求項６】
請求項４または請求項５において、前記除去装置１４は、縦状の板部材により形成した均平体１５と、該均平体１５の前側に設けた回転均平ブラシ１６とにより構成し、前記均平体１５と回転均平ブラシ１６は移送台１に対して上下自在に設けて高さ調節自在構成とした育苗ポット用土供給装置。
【請求項７】
請求項４または請求項５または請求項６において、前記バケットコンベア６の上部には、育苗ポットＰの移送方向と交差する方向に往復回動する可動誘導板４２を設けて構成した誘導装置４０を設けた育苗ポット用土供給装置。
【請求項８】
請求項７において、前記可動誘導板４２の基部を固定側に取付軸４５により回動自在に取付け、可動誘導板４２は前記バケットコンベア６の上部回転軸２３の駆動回転をリンク機構４６により往復運動に変換して回動させる構成とし、前記リンク機構４６の一部であるロッド５２は長さ変更自在に構成し、もって、可動誘導板４２の回動開始位置を変更可能に構成した育苗ポット用土供給装置。
【請求項９】
請求項８において、前記ロッド５２は、前記取付軸４５に基部を取付けたアーム５４に取付位置変更自在に取付け、もって、可動誘導板４２の回動ストロークを変更可能に構成した育苗ポット用土供給装置。
【手続補正２】
【補正対象書類名】明細書
【補正対象項目名】０００５
【補正方法】変更
【補正の内容】
【０００５】
請求項１の発明は、トレイＴに載置した複数の育苗ポットＰを始端部から終端部へ向けて移送する移送台１の所定位置の側方位置に、複数のバケット７により土を揚送するバケットコンベア６により構成した土供給装置５を配置させ、前記バケットコンベア６が揚送させた土を、移送台１上を移送中の育苗ポットＰに上に落下させ、移送中の育苗ポットＰにバケットコンベア６から落下する土を受け止めさせ、育苗ポットＰ上に、各育苗ポットＰに充填する必要量以上の所定量の土を層状に一旦貯留させ、育苗ポットＰ上の余分な土を除去する際に、育苗ポットＰが受け止めた土のうち必要量の土を各育苗ポットＰ内に充填させて行う育苗ポット用土供給方法としたものである。
請求項２の発明は、前記バケットコンベア６が揚送した土を落下させる位置より移送方向の下手側の移送台１に除去装置１４を設け、除去装置１４により育苗ポットＰ上の余分な土を堰き止めて育苗ポットＰ内に土を充填させながら、土を除去する育苗ポット用土供給方法としたものである。
請求項３の発明は、前記バケットコンベア６が揚送した土を落下させる位置の移送台１に設けた前板１１と側板１２を有する溢れ防止体１０により、育苗ポットＰ上に落下した土が育苗ポットＰ上から溢れるのを防止して、育苗ポットＰ上に所定量の土を層状に貯留させ、育苗ポットＰ上の余分な土を除去する際に、育苗ポットＰが受け止めた土のうち必要量の土を各育苗ポットＰ内に充填させて行う育苗ポット用土供給方法としたものである。
請求項４の発明は、トレイＴに載置した複数の育苗ポットＰを始端部から終端部へ向けて移送する移送台１の所定側方位置に、複数のバケット７を有するバケットコンベア６を設け、該バケットコンベア６は前記移送台１上の移送中の育苗ポットＰに揚送した土が落下するように配置し、前記バケットコンベア６が揚送した土を落下させる位置より移送方向の下手側の移送台１に除去装置１４を設け、前記バケットコンベア６は、育苗ポットＰ上に各育苗ポットＰに充填する必要量以上の土が層状になるように落下させる設定とし、前記除去装置１４は、前記バケットコンベア６が育苗ポットＰ上に落下させた各育苗ポットＰに充填する必要量以上の層状の土のうちの余分な土の除去および各育苗ポットＰ内への土の充填させるように構成した育苗ポット用土供給装置としたものである。
請求項５の発明は、前記バケットコンベア６が揚送した土を落下させる位置の移送台１上に、上方に起立する前板１１と側板１２を有する溢れ防止体１０を設けた育苗ポット用土供給装置としたものである。
請求項６の発明は、前記除去装置１４は、縦状の板部材により形成した均平体１５と、該均平体１５の前側に設けた回転均平ブラシ１６とにより構成し、前記均平体１５と回転均平ブラシ１６は移送台１に対して上下自在に設けて高さ調節自在構成とした育苗ポット用土供給装置としたものである。
請求項７の発明は、前記バケットコンベア６の上部には、育苗ポットＰの移送方向と交差する方向に往復回動する可動誘導板４２を設けて構成した誘導装置４０を設けた育苗ポット用土供給装置としたものである。
請求項８の発明は、前記可動誘導板４２の基部を固定側に取付軸４５により回動自在に取付け、可動誘導板４２は前記バケットコンベア６の上部回転軸２３の駆動回転をリンク機構４６により往復運動に変換して回動させる構成とし、前記リンク機構４６の一部であるロッド５２は長さ変更自在に構成し、もって、可動誘導板４２の回動開始位置を変更可能に構成した育苗ポット用土供給装置としたものである。
請求項９の発明は、前記ロッド５２は、前記取付軸４５に基部を取付けたアーム５４に取付位置変更自在に取付け、もって、可動誘導板４２の回動ストロークを変更可能に構成した育苗ポット用土供給装置としたものである。
【手続補正３】
【補正対象書類名】明細書
【補正対象項目名】０００６
【補正方法】変更
【補正の内容】
【０００６】
請求項１の発明では、従来の土繰出装置のベルトのように、育苗ポットＰ上にバケットコンベア６から落下させた土を層状に土を貯留させながら充填するので、バケットコンベア６から土を落下させながら育苗ポットＰに供給できるので、移送台１上にホッパとベルトを有する土繰出装置を設けなくても、育苗ポットＰへの土供給方法を実現すると共に、育苗ポット用の土供給方法を安価に提供できる。
請求項２の発明では、除去装置１４により育苗ポットＰ上の余分な土を堰き止めて育苗ポットＰ内に土を充填させるので、除去と充填に利用できて合理的な供給方法とすることができると共に、育苗ポットＰ上に十分な土を貯留でき、育苗ポットＰへの土供給を確実にできる。
請求項３の発明では、溢れ防止体１０が育苗ポットＰ上から土が溢れるのを防止するので、育苗ポットＰ上に十分な土を確保して貯留でき、育苗ポットＰへの土供給を確実にできる。
請求項４の発明では、バケットコンベア６から落下させた土を育苗ポットＰに供給する供給方法を実現でき、育苗ポットＰへの土供給作業コストを安価にできる。
請求項５の発明では、溢れ防止体１０が育苗ポットＰ上から土が溢れるのを防止するので、育苗ポットＰ上に十分な土を貯留でき、育苗ポットＰへの土供給を確実にできる。
請求項６の発明では、除去装置１４の均平体１５と回転均平ブラシ１６により余分な土の除去と充填を確実にできる。
請求項７の発明では、可動誘導板４２がバケットコンベア６が揚送した土を育苗ポットＰの幅方向に分散させることができ、育苗ポットＰへの土供給を確実にできる。
請求項８の発明では、ロッド５２の長さを変更すると、可動誘導板４２の回動開始位置を変更することができ、可動誘導板４２の回動を開始位置を移送台１側の近くまたは移送台１側より離れた位置から開始させることができる。
請求項９の発明では、ロッド５２とアーム５４との取付位置を変更することにより、可動誘導板４２の回動ストロークを変更できる。